(57)【特許請求の範囲】
【請求項１】
土中のモグラを感知する感知部を有し、感知部と連動して捕獲金具を作動し、モグラを捕獲するモグラの捕獲装置において、基盤台１を基に地上部と地下部で構成し、上記基盤台１に立設した主柱２の上部基点金具１１に作動振子７の軸受部をA点としてB点に引掛け部を、先端部を基盤台１に固定の支柱５に当接した作動ピン６に当て、該作動ピン６に上部を固定し、基盤台１に設けた2か所の穴を通して地下部に設置の中央金枠８の下部中央に取付けた作動伝達糸１０をモグラ通路内にV字形に張った状態で配設すると共に上記作動振子７のB点引掛け部に左右に突き刺し部を設けた門型捕獲金具３の中央部を引張りバネ４に抗して引掛け、作動伝達糸１０にモグラが接触すると支柱５に当てた作動ピン６が下降し、作動振子７が回転してB点引掛け部に掛けられた捕獲金具３が外れ、引っ張りバネ４の戻る力で捕獲金具３を降下させてモグラを突き刺すようなしたことを特徴とするモグラ退治器。
【請求項２】
支柱５は、作動ピン６の左右２か所を支持することで作動振子７の回転を止め保持させることができるようになした請求項１記載のモグラ退治器。
【請求項３】
モグラ通路外の土中にモグラの抜け逃げ防止の左右金枠９を設けた請求項１又は請求項２記載のモグラ退治器。
【発明の詳細な説明】
【技術分野】
【０００１】
本発明は、モグラの通路にできるだけ通路内を荒らさずに自然の状態を保ってモグラを殺傷して退治ができるモグラ退治器に関するものである。
【背景技術】
【０００２】
モグラはミミズなどを求めて地中にトンネルを掘り動き廻りながら生息するため、農作地には多数のトンネルを見ることができる。モグラ捕獲には様々な試みがなされているが通路内に設置する構造のために通路を荒らし、モグラに気づかれて捕獲できない等の問題があった。
例えば、モグラの接近を感知して針等で殺傷するもの（特許文献１、２参照）あるいは餌などを入れた籠を埋め込んで捕獲するもの（特許文献３参照）等が実施されているがモグラに気づかれ捕獲できない事が多かった。
【先行技術文献】
【特許文献】
【０００３】
【特許文献１】特開平１１−２０６３０４号公報
【特許文献２】実用新案登録第３１５８５２９号公報
【特許文献３】特開２００６−２５４８９８号公報
【発明の概要】
【発明が解決しようとする課題】
【０００４】
モグラは通路の荒れや、臭気の異常に用心深く、敏感な行動をとり、捕獲器の設置場所である仕掛け入り口の穴埋めや仕掛けを避けて、新しい通路をより深く造る事があるので、捕獲に至るまでの難題も有った。
【０００５】
特許文献１はトリガー部材、特許文献２では感知板にてモグラの侵入を感知するが仕掛けが障害物となり、モグラに異常を感づかれて敏感に行動を取られるために取り逃がすことが多く捕獲がうまく行かなかった。そこでこれらの問題点に着目し通路内を荒らさずに自然の状態を保って捕獲でき、先住モグラ捕獲後に他部所よりの進入に対しても、一早く対応して早期高確率で捕獲出来る様、自然に近く通路内の障害物を少なくした。
【課題を解決するための手段】
【０００６】
本発明は出来るだけモグラ通路内を荒らさず、自然に近い状態を保てるようにするために本器を通路に合わせて強く押し込み通路内の障害物が作動伝達糸１０のＶ字型のみになる様に張った状態で配設すると共に支柱２の上部の基点金具１１に掛けた作動振子７の軸受部A点を基点としてB点に、左右に設けた２本の捕獲金具３を引っ張りバネ４に抗して引っ掛け接触したモグラが、作動ピン６を下降させることにより捕獲金具３を降下させてモグラの中央部に突き刺さるようにし、モグラの警戒感を起こさせない様にすることで高確率に捕獲可能となり左右金枠を取り付けることでモグラが暴れ捕獲金具から抜けて逃げる事のないようにした。
【０００７】
上記課題を解決する為に、本器を発明、製作、モグラの重要な生活通路を探し、通路内を荒らさず障害物も少なくなるようにした。進入方向を問わず仕掛をセットすると共に捕獲後は、本器設置前の状態になるよう土を戻して通路を埋めて置くことで、新規進入モグラも重要な生活移動通路となりいち早く侵入を確認して本器を仕掛けセットする事で早期捕獲、被害を少なくする。
【発明の効果】
【０００８】
モグラ退治器の設置場所をあまり荒らさず、モグラ穴の障害物をＶ字型に張った細い
糸だけにした事でモグラの警戒心を無くし、取り逃がすことも少なくなった。又、その場所の土で泥水を作り本器に掛けて臭気を同一化した事により高確率で捕獲が可能となった。
【図面の簡単な説明】
【０００９】
【図１】本発明の全体を示す正面図である。
【図２】本発明をセットした状態を示した側面図である。
【図３】本発明の仕掛通路に侵入捕獲直前の状態を示す正面断面図である。
【図４】本発明の通路内状態を示す側面説明図である。
【図５】本発明の作動源、モグラ感知から捕獲に至るまでの流れを簡単に示した斜視説明図である
【発明を実施するための形態】
【００１０】
本発明の実施の形態を図面に基づき説明する。  
【実施例１】
【００１１】
図１は本発明に依るモグラ退治器で、装置の実施前の形態を示す正面図である。本器は長さ１２ｃｍ巾７ｃｍ厚さ４〜５ｃｍの基盤台1を基に地上部と地下部を有し、地上面に主柱２、捕獲金具３、２本の引っ張りバネ４、２本の支柱5、作動ピン６、ひっぱり力を右回転力に変換させる作動振子７、作動振子の軸受部を持つ作動振子基点金具１１を有する。地下面に中央金具８、の下部中央に作動伝達糸１０がＶ字になる様２本の細い糸を固定、基盤台に設けた２ケ所の穴を通し作動ピン6に、糸の張り具合を調節して固定している。左右金枠９を設けて抜け逃げ防止策を有する。図２は本発明に係る本器の仕掛けセットした状態で本器巾７ｃｍ前後に設定し、設置の時押し込み易くした状態を示す側面図である。
【００１２】
図３は設置場所に本器を仕掛けセット後の状態で作動源となるモグラの進入によりＶ字に張った作動伝達糸１０に接触感知直前の状態示した正面断面図である。
図４は本器設置後、地下部のモグラ通路内を示す図で、中央金枠８、左右金枠９がモグラ通路外の土中に納まり、通路内の障害物がＶ字に張った作動伝達糸だけの状態を示した通路内断面説明図である。
【００１３】
図５は捕獲金具３の左・右突き刺し部の内側に設けた引っ張りバネ４の力を利用し、作動振子７のＢ点に捕獲金具を引き上げ、中央部を掛ける事で引っ張り力を右回転力に変換する。設定した２本の固定支柱５と右回転力のかかった作動振子７の先端部の間に作動ピン６の中央部に当て右回転力を保持する。作動源モグラの接触、引っかきで作動ピン６が下降、右回転力保持を解除する。２本の引っ張りバネの力により、作動振子Ｃ点が右回転、Ｂ点に掛けた捕獲金具３が外れ２本の引っ張りバネの力で先の尖った両端を有する捕獲金具３の急降下で突き刺し、左右金枠９で抜け逃がす事のないようにした作動源モグラの通行感知から、捕獲、退治までの流れを表す斜視説明図である。
【００１４】
モグラの重要な生活通路や餌場への出入り口を探して設置場所を決め本器の長さ、巾、位の範囲で、モグラ通路が確保出来る状態まで上土を取り除き本器の設置場所としての可、否を確認後、本器を設置場所の土で泥水を作り濡らして強く押し込み中央金枠、左右金枠の底辺、側面部が、モグラ穴から外れて少しでも通路内の障害物とならないように埋め込む。その後に仕掛けセットするので安全にでる。
通路内の障害物はＶ字に張った細糸だけ、泥水掛けでの臭気の同一化により、モグラの活動時間前に仕掛けをセット。数時間〜数日で捕獲した事も再々有る。又、同一設置場所に土を戻して通路を塞いだ状態にしておく事により、他の部所からの新規進入で土の盛り上げで早期に確認出来いち早く対処、捕獲退治する。
【符号の説明】
【００１５】
１  基盤台
２  主柱
３  捕獲金具
４  引っ張りバネ
５  支柱
６  作動ピン
７  作動振子
８  中央金枠
９  左・右・金枠
１０  作動伝達糸
１１  作動振子・基点金具
１２  ナット
１３  モグラ土中通路
【図１】
0006651233.tif 000002
【図２】
0006651233.tif 000003
【図３】
0006651233.tif 000004
【図４】
0006651233.tif 000005
【図５】
0006651233.tif 000006